(57)【要約】【課題】発光素子群の発光色を容易に所望の色に調整することができる技術を提供する。【解決手段】本発明の表示装置は、発光色が互いに異なる３つの発光素子からなる発光素子群を備え、前記発光素子群から発せられた光を用いて画面に画像を表示する表示装置であって、前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段と、前記調整パラメータの値を設定する設定手段と、前記設定手段により設定された前記調整パラメータの前記値と、前記記憶手段に記憶された前記第１調整情報と、に基づいて、前記２つの発光素子のそれぞれの発光輝度を調整する調整手段と、を備える。【選択図】図１
2015118368.tif 000002
【特許請求の範囲】
【請求項１】
発光色が互いに異なる３つの発光素子からなる発光素子群を備え、前記発光素子群から発せられた光を用いて画面に画像を表示する表示装置であって、
前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段と、
前記調整パラメータの値を設定する設定手段と、
前記設定手段により設定された前記調整パラメータの前記値と、前記記憶手段に記憶された前記第１調整情報と、に基づいて、前記２つの発光素子のそれぞれの発光輝度を調整する調整手段と、
を備えることを特徴とする表示装置。
【請求項２】
前記調整パラメータの値を調整するためにユーザが操作する操作領域を有するグラフィック画像を生成する生成手段をさらに備え、
前記設定手段は、前記操作領域に対するユーザ操作に応じて、前記調整パラメータの値を設定する
ことを特徴とする請求項１に記載の表示装置。
【請求項３】
前記操作領域における画像は、ユーザが前記調整パラメータの値を指定するために移動することが可能な所定画像を含む
ことを特徴とする請求項２に記載の表示装置。
【請求項４】
前記記憶手段には、前記表示装置の累積表示時間と、前記調整パラメータの設定すべき値の推定値と、の対応関係を示す第２調整情報が予め記録されており、
前記表示装置は、
前記表示装置の累積表示時間を計測する計測手段と、
前記第２調整情報に基づき、前記計測手段により計測された前記累積表示時間に対応する前記調整パラメータの推定値を決定する推定手段と、
をさらに備える
ことを特徴とする請求項１から３までのいずれか１項に記載の表示装置。
【請求項５】
前記第１調整情報は、関数で表される
ことを特徴とする請求項１から４までのいずれか１項に記載の表示装置。
【請求項６】
前記第１調整情報は、テーブルで表される
ことを特徴とする請求項１から４までのいずれか１項に記載の表示装置。
【請求項７】
発光色が互いに異なる３つの発光素子からなる発光素子群を備え、前記発光素子群から発せられた光を用いて画面に画像を表示する表示装置であって、
前記表示装置の累積表示時間と、前記３つの発光素子のうちの２つの発光素子のそれぞれの発光輝度の調整量と、の対応関係を示す第３調整情報が予め記録された記憶手段と、
前記表示装置の累積表示時間を計測する計測手段と、
前記第３調整情報に基づいて、前記計測手段により計測された前記累積表示時間に対応する調整量で、前記２つの発光素子のそれぞれの発光輝度を調整する調整手段と、
を備えることを特徴とする表示装置。
【請求項８】
発光色が互いに異なる３つの発光素子からなる発光素子群を備える発光装置であって、
前記３つの発光素子のうちの２つの発光素子のそれぞれの発光輝度の調整量と、前記２つの発光素子のそれぞれの発光輝度を調整する処理で使用される１つのパラメータである
調整パラメータの値と、の対応関係を示す第１調整情報が予め記録された記憶手段と、
前記調整パラメータの値を設定する設定手段と、
前記設定手段により設定された前記調整パラメータの前記値と、前記記憶手段に記憶された前記第１調整情報と、に基づいて、前記２つの発光素子のそれぞれの発光輝度を調整する調整手段と、
を備えることを特徴とする発光装置。
【請求項９】
発光色が互いに異なる３つの発光素子からなる発光素子群を備える発光装置であって、
前記発光装置の累積駆動時間と、前記３つの発光素子のうちの２つの発光素子のそれぞれの発光輝度の調整量と、の対応関係を示す第３調整情報が予め記録された記憶手段と、
前記発光装置の累積駆動時間を計測する計測手段と、
前記第３調整情報に基づいて、前記計測手段により計測された前記累積駆動時間に対応する調整量で、前記２つの発光素子のそれぞれの発光輝度を調整する調整手段と、
を備えることを特徴とする発光装置。
【請求項１０】
発光色が互いに異なる３つの発光素子からなる発光素子群を備え、前記発光素子群から発せられた光を用いて画面に画像を表示する表示装置の制御方法であって、
前記表示装置は、前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段を備え、
前記表示装置の制御方法は、
前記調整パラメータの値を設定する設定ステップと、
前記設定ステップで設定された前記調整パラメータの前記値と、前記記憶手段に記憶された前記第１調整情報と、に基づいて、前記２つの発光素子のそれぞれの発光輝度を調整する調整ステップと、
を有することを特徴とする表示装置の制御方法。
【請求項１１】
前記調整パラメータの値を調整するためにユーザが操作する操作領域を有するグラフィック画像を生成する生成ステップをさらに有し、
前記設定ステップでは、前記操作領域に対するユーザ操作に応じて、前記調整パラメータの値を設定する
ことを特徴とする請求項１０に記載の表示装置の制御方法。
【請求項１２】
前記操作領域における画像は、ユーザが前記調整パラメータの値を指定するために移動することが可能な所定画像を含む
ことを特徴とする請求項１１に記載の表示装置の制御方法。
【請求項１３】
前記記憶手段には、前記表示装置の累積表示時間と、前記調整パラメータの設定すべき値の推定値と、の対応関係を示す第２調整情報が予め記録されており、
前記表示装置の制御方法は、
前記表示装置の累積表示時間を計測する計測ステップと、
前記第２調整情報に基づき、前記計測ステップで計測された前記累積表示時間に対応する前記調整パラメータの推定値を決定する推定ステップと、
をさらに有する
ことを特徴とする請求項１０から１２までのいずれか１項に記載の表示装置の制御方法。
【請求項１４】
前記第１調整情報は、関数で表される
ことを特徴とする請求項１０から１３までのいずれか１項に記載の表示装置の制御方法。
【請求項１５】
前記第１調整情報は、テーブルで表される
ことを特徴とする請求項１０から１３までのいずれか１項に記載の表示装置の制御方法。
【請求項１６】
発光色が互いに異なる３つの発光素子からなる発光素子群を備え、前記発光素子群から発せられた光を用いて画面に画像を表示する表示装置の制御方法であって、
前記表示装置は、前記表示装置の累積表示時間と、前記３つの発光素子のうちの２つの発光素子のそれぞれの発光輝度の調整量と、の対応関係を示す第３調整情報が予め記録された記憶手段を備え、
前記表示装置の制御方法は、
前記表示装置の累積表示時間を計測する計測ステップと、
前記第３調整情報に基づいて、前記計測ステップで計測された前記累積表示時間に対応する調整量で、前記２つの発光素子のそれぞれの発光輝度を調整する調整ステップと、
を有することを特徴とする表示装置の制御方法。
【請求項１７】
発光色が互いに異なる３つの発光素子からなる発光素子群を備える発光装置の制御方法であって、
前記発光装置は、前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段を備え、
前記発光装置の制御方法は、
前記調整パラメータの値を設定する設定ステップと、
前記設定ステップで設定された前記調整パラメータの値と、前記記憶手段に記憶された前記第１調整情報と、に基づいて、前記２つの発光素子のそれぞれの発光輝度を調整する調整ステップと、
を有することを特徴とする発光装置の制御方法。
【請求項１８】
発光色が互いに異なる３つの発光素子からなる発光素子群を備える発光装置の制御方法であって、
前記発光装置は、前記発光装置の累積駆動時間と、前記３つの発光素子のうちの２つの発光素子のそれぞれの発光輝度の調整量と、の対応関係を示す第３調整情報が予め記録された記憶手段を備え、
前記発光装置の制御方法は、
前記発光装置の累積駆動時間を計測する計測ステップと、
前記第３調整情報に基づいて、前記計測ステップで計測された前記累積駆動時間に対応する調整量で、前記２つの発光素子のそれぞれの発光輝度を調整する調整ステップと、
を有することを特徴とする発光装置の制御方法。
【請求項１９】
請求項１０から１６までのいずれか１項に記載の表示装置の制御方法の各ステップをコンピュータに実行させることを特徴とするプログラム。
【請求項２０】
請求項１７または１８に記載の発光装置の制御方法の各ステップをコンピュータに実行させることを特徴とするプログラム。
【発明の詳細な説明】
【技術分野】
【０００１】
本発明は、表示装置、発光装置、表示装置の制御方法、発光装置の制御方法、及び、プログラムに関する。
【背景技術】
【０００２】
現在、表示素子として液晶素子を用いた表示装置である液晶表示装置が広く普及している。しかし、近年、表示素子として発光素子を用いた自発光型表示装置が開発され、商品化が進められている。発光素子は、例えば、発光ダイオード（ＬＥＤ）、有機ＥＬ（ｅｌｅｃｔｒｏ  ｌｕｍｉｎｅｓｃｅｎｃｅ）素子、などである。自発光型表示装置では、表示素子とは異なる発光素子が必要ない。そのため、自発光型表示装置では、液晶表示装置で使用されるバックライトが必要なく、表示装置の厚みを液晶表示装置よりも低減することができる。また、表示素子として有機ＥＬ素子を用いた自発光型表示装置である有機ＥＬ表示装置には、視野角が広い、応答速度が速い、などの利点がある。そのため、有機ＥＬ表示装置は、次世代のフラットパネルディスプレイの主流になると期待されている。カラー画像を表示可能な自発光型表示装置では、画素毎に、発光色が互いに異なる３つの発光素子からなる発光素子群が用いられる。３つの発光素子は、例えば、赤色の光を発するＲ素子、緑色の光を発するＧ素子、及び、青色の光を発するＢ素子である。カラー画像を表示可能な自発光型表示装置では、上記３つの発光素子の発光輝度の比を調整することにより、画素の色（発光素子群の発光色）を調整することができる。
【０００３】
自発光型表示装置では、表示素子の発光輝度が時間の経過に従って変化（経時変化）することが知られている。発光輝度の経時変化は、例えば、表示素子の電流−電圧（Ｉ−Ｖ）特性の経時変化によって発生する。例えば、表示素子のＩ−Ｖ特性が変化することにより、表示素子（発光素子）を電流駆動する画素回路に設けられた駆動トランジスタに流れる電流値が変化し、駆動トランジスタに流れる電流値が変化することにより、表示素子に流れる電流値が変化する。そして、表示素子に流れる電流値が変化することにより、表示素子の発光輝度が変化する。
【０００４】
そして、一般的に、１つの発光素子群を構成する３つの発光素子間で発光輝度の経時変化の仕方は異なるため、表示素子の発光輝度の経時変化によって発光素子群の発光色も経時変化してしまう。
図１６は、有機ＥＬ素子であるＲ素子、Ｇ素子、及び、Ｂ素子の発光輝度の経時変化の仕方を示す図である。図１６に示すように、有機ＥＬ素子であるＢ素子、Ｒ素子、及び、Ｇ素子のうち、Ｂ素子の発光輝度の変化速度（経時変化の速度）が最も高く、Ｇ素子の発光輝度の変化速度が最も低い。そのため、有機ＥＬ素子であるＢ素子、Ｒ素子、及び、Ｇ素子からなる発光素子群の駆動時間（通電時間）の増加に伴い、Ｂ素子、Ｒ素子、及び、Ｇ素子の発光輝度の比（発光輝度比）が経時変化してしまう。例えば、初期状態において発光輝度比が１：１：１（Ｒ素子の発光輝度：Ｇ素子の発光輝度：Ｂ素子の発光輝度）であったとしても、発光素子群の駆動時間の増加に伴い、発光輝度比が０．９：１：０．６に経時変化してしまう。そして、発光輝度比が経時変化することにより、発光素子群の発光色が経時変化してしまう。例えば、有機ＥＬ素子であるＢ素子、Ｒ素子、及び、Ｇ素子からなる発光素子群では、Ｇ素子の発光輝度の変化速度が最も低いため、発光素子群の発光色は、経時変化前に比べて緑がかった色に経時変化してしまう。
このような発光色の経時変化は、自発光型表示装置においてのみ生じるものではなく、液晶表示装置のバックライト、街灯、室内照明、などの発光装置においても生じる。
【０００５】
有機ＥＬ素子であるＢ素子、Ｒ素子、及び、Ｇ素子からなる発光素子群の発光色を調整する技術は、例えば、非特許文献１に開示されている。非特許文献１に開示の技術では、図１７に示すようなグラフィック画像をユーザが操作することにより、発光素子群の発光色が調整される。具体的には、図１７に示すグラフィック画像は、Ｒ素子の発光輝度の調整するためにユーザが操作するＲバーと、Ｂ素子の発光輝度の調整するためにユーザが操作するＢバーと、を含む。そして、Ｒバーに対するユーザ操作に応じてＲ素子の発光輝度が調整され、Ｂバーに対するユーザ操作に応じてＢ素子の発光輝度が調整されることにより、発光素子群の発光色が調整される。このような技術を用いれば、発光素子群の発光色を調整することにより、上述した発光色の経時変化を低減することができる。
【０００６】
しかしながら、非特許文献１に開示の技術では、Ｒ素子の発光輝度とＢ素子の発光輝度が個別に調整されるため、所望の発光輝度比を得ることが困難である。具体的には、Ｒ素子の発光輝度とＢ素子の発光輝度の組み合わせは数多く存在するため、数多くの組み合わせの中から所望の発光輝度比を実現する組み合わせを見つけることは困難である。また、非特許文献１に開示の技術では、ユーザは、所望の発光輝度比が得られるようにＲバーとＢバーの２つのバーを操作しなければならず、このような操作は、色の仕組みを知らないユーザにとっては非常に困難である。
【先行技術文献】
【非特許文献】
【０００７】
【非特許文献１】ＣＡＮＯＮ  ＨＤ  Ｖｉｄｅｏ  Ｃａｍｅｒａ  ＸＡ２０／ＸＡ２５  使用説明書  ｐ．２１２，２１４
【発明の概要】
【発明が解決しようとする課題】
【０００８】
本発明は、発光素子群の発光色を容易に所望の色に調整することができる技術を提供することを目的とする。
【課題を解決するための手段】
【０００９】
本発明の第１の態様は、
発光色が互いに異なる３つの発光素子からなる発光素子群を備え、前記発光素子群から発せられた光を用いて画面に画像を表示する表示装置であって、
前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段と、
前記調整パラメータの値を設定する設定手段と、
前記設定手段により設定された前記調整パラメータの前記値と、前記記憶手段に記憶された前記第１調整情報と、に基づいて、前記２つの発光素子のそれぞれの発光輝度を調整する調整手段と、
を備えることを特徴とする表示装置である。
本発明の第２の態様は、
発光色が互いに異なる３つの発光素子からなる発光素子群を備え、前記発光素子群から発せられた光を用いて画面に画像を表示する表示装置であって、
前記表示装置の累積表示時間と、前記３つの発光素子のうちの２つの発光素子のそれぞれの発光輝度の調整量と、の対応関係を示す第３調整情報が予め記録された記憶手段と、
前記表示装置の累積表示時間を計測する計測手段と、
前記第３調整情報に基づいて、前記計測手段により計測された前記累積表示時間に対応する調整量で、前記２つの発光素子のそれぞれの発光輝度を調整する調整手段と、
を備えることを特徴とする表示装置である。
【００１０】
本発明の第３の態様は、
発光色が互いに異なる３つの発光素子からなる発光素子群を備える発光装置であって、
前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段と、
前記調整パラメータの値を設定する設定手段と、
前記設定手段により設定された前記調整パラメータの前記値と、前記記憶手段に記憶された前記第１調整情報と、に基づいて、前記２つの発光素子のそれぞれの発光輝度を調整する調整手段と、
を備えることを特徴とする発光装置である。
本発明の第４の態様は、
発光色が互いに異なる３つの発光素子からなる発光素子群を備える発光装置であって、
前記発光装置の累積駆動時間と、前記３つの発光素子のうちの２つの発光素子のそれぞれの発光輝度の調整量と、の対応関係を示す第３調整情報が予め記録された記憶手段と、
前記発光装置の累積駆動時間を計測する計測手段と、
前記第３調整情報に基づいて、前記計測手段により計測された前記累積駆動時間に対応する調整量で、前記２つの発光素子のそれぞれの発光輝度を調整する調整手段と、
を備えることを特徴とする発光装置である。
【００１１】
本発明の第５の態様は、
発光色が互いに異なる３つの発光素子からなる発光素子群を備え、前記発光素子群から発せられた光を用いて画面に画像を表示する表示装置の制御方法であって、
前記表示装置は、前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録された記憶手段を備え、
前記表示装置の制御方法は、
前記調整パラメータの値を設定する設定ステップと、
前記設定ステップで設定された前記調整パラメータの前記値と、前記記憶手段に記憶された前記第１調整情報と、に基づいて、前記２つの発光素子のそれぞれの発光輝度を調整する調整ステップと、
を有することを特徴とする表示装置の制御方法である。
本発明の第６の態様は、
発光色が互いに異なる３つの発光素子からなる発光素子群を備え、前記発光素子群から発せられた光を用いて画面に画像を表示する表示装置の制御方法であって、
前記表示装置は、前記表示装置の累積表示時間と、前記３つの発光素子のうちの２つの発光素子のそれぞれの発光輝度の調整量と、の対応関係を示す第３調整情報が予め記録された記憶手段を備え、
前記表示装置の制御方法は、
前記表示装置の累積表示時間を計測する計測ステップと、
前記第３調整情報に基づいて、前記計測ステップで計測された前記累積表示時間に対応する調整量で、前記２つの発光素子のそれぞれの発光輝度を調整する調整ステップと、
を有することを特徴とする表示装置の制御方法である。
【００１２】
本発明の第７の態様は、
発光色が互いに異なる３つの発光素子からなる発光素子群を備える発光装置の制御方法であって、
前記発光装置は、前記３つの発光素子のうちの２つの発光素子のそれぞれの発光輝度の調整量と、前記２つの発光素子のそれぞれの発光輝度を調整する処理で使用される１つのパラメータである調整パラメータの値と、の対応関係を示す第１調整情報が予め記録され
た記憶手段を備え、
前記発光装置の制御方法は、
前記調整パラメータの値を設定する設定ステップと、
前記設定ステップで設定された前記調整パラメータの値と、前記記憶手段に記憶された前記第１調整情報と、に基づいて、前記２つの発光素子のそれぞれの発光輝度を調整する調整ステップと、
を有することを特徴とする発光装置の制御方法である。
本発明の第８の態様は、
発光色が互いに異なる３つの発光素子からなる発光素子群を備える発光装置の制御方法であって、
前記発光装置は、前記発光装置の累積駆動時間と、前記３つの発光素子のうちの２つの発光素子のそれぞれの発光輝度の調整量と、の対応関係を示す第３調整情報が予め記録された記憶手段を備え、
前記発光装置の制御方法は、
前記発光装置の累積駆動時間を計測する計測ステップと、
前記第３調整情報に基づいて、前記計測ステップで計測された前記累積駆動時間に対応する調整量で、前記２つの発光素子のそれぞれの発光輝度を調整する調整ステップと、
を有することを特徴とする発光装置の制御方法である。
【００１３】
本発明の第９の態様は、上述した表示装置の制御方法の各ステップをコンピュータに実行させることを特徴とするプログラムである。
【００１４】
本発明の第１０の態様は、上述した発光装置の制御方法の各ステップをコンピュータに実行させることを特徴とするプログラムである。
【発明の効果】
【００１５】
本発明によれば、発光素子群の発光色を容易に所望の色に調整することができる。
【図面の簡単な説明】
【００１６】
【図１】実施例１に係る表示装置の構成の一例を示すブロック図
【図２】実施例１に係る発光素子群の発光色の経時変化の一例を示す図
【図３】実施例１に係る第１傾きと第２傾きの算出方法の一例を示す図
【図４】実施例１に係る色度調整量の算出方法の一例を示す図
【図５】実施例１に係る第１調整情報の決定方法の一例を示すフローチャート
【図６】実施例１に係る色調整処理の一例を示すフローチャート
【図７】実施例１に係るグラフィック画像の一例を示す図
【図８】実施例２，３に係る表示装置の構成の一例を示すブロック図
【図９】実施例２に係る第２調整情報の一例を示す図
【図１０】実施例２に係る色調整処理の一例を示すフローチャート
【図１１】実施例２に係るグラフィック画像の一例を示す図
【図１２】実施例２に係るグラフィック画像の一例を示す図
【図１３】実施例３に係る発光素子群の発光色の経時変化の一例を示す図
【図１４】実施例３に係る色調整処理の一例を示すフローチャート
【図１５】実施例３に係る発光素子群の発光色の誤差の許容範囲の一例を示す図
【図１６】有機ＥＬ素子の発光輝度の経時変化特性の一例を示す図
【図１７】従来のグラフィック画像の一例を示す図
【発明を実施するための形態】
【００１７】
＜実施例１＞
以下、本発明の実施例１について説明する。
なお、以下では、表示素子として発光素子を用いた自発光型表示装置に本発明を適用した例を説明するが、本発明は自発光型表示装置にのみ適用されるものではない。例えば、本発明は、液晶表示装置のバックライト、街灯、室内照明、などの発光装置にも適用できる。
【００１８】
（構成）
まず、本実施例に係る自発光型表示装置の構成について説明する。
図１は、本実施例に係る自発光型表示装置の構成の一例を示すブロック図である。
【００１９】
表示部１０３は、複数の画素を有する。表示部１０３は、画素として発光素子群を有しており、発光素子群から発せられた光を用いて画面に画像を表示する。具体的には、表示部１０３は、画素毎に、画素値（画像データの値）に対応する駆動信号を用いて、発光素子群を駆動する。発光素子群は、画素値に対応する駆動信号に応じた光を発する。換言すれば、発光素子群は、画素値に応じた光を発する。それにより、画面に画像（画像データに応じた画像）が表示される。発光素子群は、発光色が互いに異なる３つの発光素子（サブピクセル）からなる。画素値は、発光素子群を構成する３つの発光素子（第１発光素子、第２発光素子、及び、第３発光素子）に対応する３つのサブピクセル値を含む。そして、発光素子は、対応するサブピクセル値に応じて駆動される。発光素子としては、例えば、発光ダイオード（ＬＥＤ）、有機ＥＬ（ｅｌｅｃｔｒｏ  ｌｕｍｉｎｅｓｃｅｎｃｅ）素子、プラズマ素子などを用いることができる。
本実施例では、発光素子群は、赤色の光を発するＲ素子（第１発光素子）、緑色の光を発するＧ素子（第３発光素子）、及び、青色の光を発するＢ素子（第２発光素子）からなる。そして、画像データは、Ｒ素子に対応するサブピクセル値であるＲ値、Ｇ素子に対応するサブピクセル値であるＧ値、及び、Ｂ素子に対応するサブピクセル値であるＢ値、を含む。
なお、発光素子の発光色は、赤色、緑色、及び、青色に限らない。例えば、発光素子群は、黄色の光を発するＹ素子を有していてもよい。
なお、発光素子の形状や配置は特に限定されない。
【００２０】
記憶部１０７には、調整比率が予め記録されている。調整比率は、上記３つの発光素子のうちの２つの発光素子（調整素子）のサブピクセル値の調整量の比率である。具体的には、調整比率は、２つの調整素子（第１発光素子と第２発光素子）のサブピクセル値の調整量の比率であって、発光素子群から発せられた光の色度の変化（調整量）が発光素子群から発せられた光の色度の経時変化（経時変化量）と一致するように定められた比率である。発光素子のサブピクセル値が調整された場合、発光素子のサブピクセル値の調整量に応じた調整量で、発光素子の発光輝度が調整される。そのため、調整比率は、２つの調整素子の発光輝度の調整量の比率であって、発光素子群から発せられた光の色度の変化（調整量）が発光素子群から発せられた光の色度の経時変化（経時変化量）と一致するように定められた比率ともいえる。記憶部１０７としては、例えば、フラッシュメモリを用いることができる。また、記憶部１０７としては、例えば、半導体メモリ、磁気ディスク、光ディスク、などを用いることができる。
本実施例では、２つの調整素子はＲ素子とＢ素子である。そして、記憶部１０７には、調整比率を含む第１調整情報が予め記録されている。第１調整情報は、ユーザが指定可能な調整パラメータ（設定項目；複数の値の集合）の値と２つの調整素子のサブピクセル値の調整量との対応関係を表す情報（関数やテーブル）である。第１調整情報は、ユーザが指定可能な調整パラメータの値と２つの調整素子の発光輝度の調整量との対応関係を表す情報ともいえる。調整パラメータは、２つの調整素子の発光輝度を同時に調整する処理で使用される１つ（１種類）のパラメータである。
なお、２つの調整素子はＲ素子とＢ素子に限らない。例えば、２つの調整素子は、Ｒ素子とＧ素子であってもよいし、Ｇ素子とＢ素子であってもよい。即ち、Ｒ素子が第２発光
素子や第３発光素子であってもよいし、Ｇ素子が第１発光素子や第２発光素子であってもよいし、Ｂ素子が第１発光素子や第３発光素子であってもよい。
【００２１】
撮像部１０１は、光学像を電気信号（アナログ信号）に変換する撮像素子である。撮像素子としては、例えば、ＣＣＤ素子、ＣＭＯＳ素子、などを用いることができる。撮像部１０１は、光学像を変換して得たアナログ信号を、デジタル信号処理部１０５に出力する。
【００２２】
デジタル信号処理部１０５は、撮像部１０１から出力されたアナログ信号をデジタル信号に変換する。デジタル信号処理部１０５は、撮像部１０１から出力されたアナログ信号を変換して得たデジタル信号（画像データ）を、ＷＢ調整部１０６に出力する。
【００２３】
ＷＢ調整部１０６は、デジタル信号処理部１０５から出力された画像データに対し、色調整処理を施す。色調整処理では、調整比率が維持されるように２つの調整素子のサブピクセル値が調整される。それにより、調整比率が維持されるように２つの調整素子の発光輝度が調整され、発光素子群の発光色が調整される。
本実施例では、第１調整情報において調整パラメータの設定値に対応する調整量で、２つの調整素子のサブピクセル値が調整される。換言すれば、第１調整情報に含まれる調整パラメータの値に対応する調整量で、２つの調整素子の発光輝度が同時に調整される。
【００２４】
ＯＳＤ生成部１０８、操作部１０２、及び、制御部１０４により、ユーザ操作に応じて、調整パラメータの値が設定される。色調整処理では、ＯＳＤ生成部１０８と操作部１０２により設定された調整パラメータの値が使用される。
【００２５】
ＯＳＤ生成部１０８は、グラフィック画像を画面に表示させる。具体的には、ＯＳＤ生成部１０８は、グラフィック画像データを生成し、表示部１０３に出力する。それにより、グラフィック画像データに応じたグラフィック画像が画面に表示される。ＷＢ調整部１０６から画像データが出力されている場合には、ＷＢ調整部１０６から出力された画像データに基づく画像にグラフィック画像が重畳された合成画像が画面に表示される。
本実施例では、ＯＳＤ生成部１０８は、調整パラメータの値を調整するためにユーザが操作する操作領域を有するパラメータ調整画像を画面に表示させる。
なお、グラフィック画像はパラメータ調整画像に限らない。例えば、グラフィック画像は、表示装置の動作モードを変更するためにユーザが操作する操作領域を有する画像であってもよいし、ＷＢ調整部１０６から出力された画像データの情報（輝度ヒストグラムなど）を示す画像であってもよい。
【００２６】
操作部１０２は、ユーザ操作を示す操作情報を制御部１０４に出力する。
【００２７】
制御部１０４は、操作部１０２から出力された操作情報に応じた処理を実行する。例えば、制御部１０４は、グラフィック画像を表示するユーザ操作に応じて、グラフィック画像を表示するための表示指示をＯＳＤ生成部１０８に出力する。ＯＳＤ生成部１０８では、制御部１０４から出力された表示指示に応じて、グラフィック画像データが生成され、出力される。また、制御部１０４は、調整パラメータの値を設定（指定）するユーザ操作に応じて、調整パラメータの値を設定し、調整素子のサブピクセル値の調整量を決定する。換言すれば、制御部１０４は、調整パラメータの値を設定するユーザ操作に応じて、調整パラメータの値を設定し、調整素子の発光輝度の調整量を決定し、決定した調整量をＷＢ調整部１０６に出力する。制御部１０４は、第１調整情報から調整パラメータの設定値に対応する調整値を取得し、ＷＢ調整部１０６に出力する。ＷＢ調整部１０６では、制御部１０４から出力された調整量を用いた色調整処理が行われる。
【００２８】
本実施例では、操作部１０２は、ユーザが操作する操作ボタンとして、メニューボタン、上ボタン、下ボタン、左ボタン、右ボタン、ＳＥＴボタン、などを有する。例えば、ユーザがメニューボタンを押下することにより、各種設定が可能なグラフィック画像が表示される。そして、ユーザが、上ボタン、下ボタン、左ボタン、右ボタン、ＳＥＴボタンを押下することにより、各種設定が行われる。
【００２９】
なお、操作部１０２は、物理的な操作ボタンではなく、タッチパネルを有していてもよい。タッチパネルとしては、抵抗膜方式パネル、静電容量方式パネル、表面弾性波方式パネル、赤外線方式パネル、電磁誘導方式パネル、画像認識方式パネル、光センサ方式パネル、などを用いることができる。
なお、調整パラメータの値を設定する処理、調整量を決定する処理、などは、制御部１０４以外の機能部によって行われてもよい。例えば、それらの処理はＷＢ調整部１０６によって行われてもよい。また、表示装置は、調整パラメータの値を設定する設定部、調整量を決定する決定部、などを有していてもよい。
【００３０】
（第１調整情報の決定方法）
次に、第１調整情報の決定方法について説明する。
図５は、第１調整情報の決定方法の一例を示すフローチャートである。
【００３１】
まず、発光素子群から発せられた光の色度の経時変化を示す１次関数が算出される（Ｓ５０１）。具体的には、表示装置に所定の画像データ（例えば、画素値を構成する３つのサブピクセル値がいずれも上限値である白画像データ）を表示させて、発光素子群から発せられた光の色度の経時変化が色度センサ等を用いて測定される。換言すれば、所定の駆動信号に応じて発光素子群から発せられた光の色度の経時変化が色度センサ等を用いて測定される。測定結果の一例を図２に示す。図２は、ＸＹ色度図である。図２において、ひし形の点は、発光素子群から発せられた光の色度の測定値を示す。最も左側の点は、駆動時間が０ｈのときの色度点であり、最も右側の点は、駆動時間が２０００ｈのときの色度点である。Ｓ５０１では、図２の矢印を示す１次関数（Ｘ値とＹ値を変数とする１次関数）が算出される。例えば、駆動時間が０ｈのときの色度点と、駆動時間が２０００ｈのときの色度点と、を通る１次関数が算出される。
なお、所定の画像データは、白画像データに限らない。例えば、所定の画像データは、画素値を構成する３つのサブピクセル値がいずれも上限値よりも低い画像データであってもよい。所定の画像データは、画素値を構成する３つのサブピクセル値のうちの１つが残りの２つと異なる画像データであってもよい。
なお、１次関数の算出方法は上記方法に限らない。例えば、最小二乗法を用いて、３つ以上の複数の測定値からの偏差が最小となる１次関数が算出されてもよい。
【００３２】
次に、Ｓ５０１で算出された１次関数で示される直線上の２点（第１色度αと第２色度β）が任意に選択される（Ｓ５０２）。第１色度αは、経時変化の度合いが第１度合いのときに所定の駆動信号に応じて発光素子群から発せられる光の色度であり、第２色度βは、経時変化の度合いが第２度合いのときに所定の駆動信号に応じて発光素子群から発せられる光の色度である。例えば、駆動時間が２０００ｈのときの色度が第１色度αとして選択され、駆動時間が０ｈのときの色度が第２色度βとして選択される。
【００３３】
そして、Ｒ素子（第１発光素子）の発光輝度を調整した場合の色度の変化を示す直線の傾きに相当する第１傾きａと、Ｂ素子（第２発光素子）の発光輝度を調整した場合の色度の変化を示す直線の傾きに相当する第２傾きｂとが算出される（Ｓ５０３）。Ｒ素子の発光輝度を調整した場合の色度の変化を示す直線の傾きは、第１色度αとＲ素子から発せられた光の色度ＣＲとを通る直線の傾きと同等である。また、Ｂ素子の発光輝度を調整した場合の色度の変化を示す直線の傾きは、第１色度αとＢ素子から発せられた光の色度ＣＢ
とを通る直線の傾きと同等である。そこで、本実施例では、図３に示すように、第１色度αと色度ＣＲを用いて、第１色度αと色度ＣＲを通る直線の傾きが第１傾きａとして算出され、第１色度αと色度ＣＢを用いて、第１色度αと色度ＣＢを通る直線の傾きが第２傾きｂとして算出される。
【００３４】
次に、色度αから色度βへ色度を変化させるために必要な色度調整量Ｒｍ，Ｂｍが算出される（Ｓ５０４）。色度調整量Ｒｍは、Ｒ素子（第１発光素子）の発光輝度を調整することによる色度の調整量であり、色度調整量Ｂｍは、Ｂ素子（第２発光素子）の発光輝度を調整することによる色度の調整量である。
【００３５】
Ｒ素子の発光輝度を調整した場合の色度の変化を示す直線は、以下の式１によって表され、Ｂ素子の発光輝度を調整した場合の色度の変化を示す直線は、以下の式２によって表される。式１の傾きａは、Ｓ５０３で算出された第１傾きであり、式２の傾きｂは、Ｓ５０３で算出された第２傾きである。色度α，β間においても、式１，２の関係は成立する。
Ｙ＝ａ×Ｘ  ・・・（式１）
Ｙ＝ｂ×Ｘ  ・・・（式２）
色度αと色度βの間のＸ値の差分ΔＸは、以下の式３によって表され、色度αと色度βの間のＹ値の差分ΔＹは、以下の式４によって表される。図４に示すように、式３のＲＸは、色度調整量Ｒｍを分解して得られるＸ値の変動量であり、式４のＲＹは、色度調整量Ｒｍを分解して得られるＹ値の調整量である。式３のＢＸは、色度調整量Ｂｍを分解して得られるＸ値の調整量であり、式４のＢＹは、色度調整量Ｂｍを分解して得られるＹ値の調整量である。
ΔＸ＝ＲＸ＋ＢＸ  ・・・（式３）
ΔＹ＝ＲＹ＋ＢＹ  ・・・（式４）
そして、式１，２から、以下の式５，６が得られる。
ＲＹ＝ａ×ＲＸ  ・・・（式５）
ＢＹ＝ｂ×ＢＸ  ・・・（式６）
式５，６を式３，４に代入することで、以下の式７〜１０が得られる。式７〜１０において、ａ、ｂ、ΔＸ、及び、ΔＹは既知の値である。そのため、式７〜１０を用いることにより、調整量Ｒｘ、Ｒｙ、Ｂｘ、Ｂｙを算出することができる。
ＲＸ＝−（ｂ×ΔＸ−ΔＹ）÷（ａ−ｂ）  ・・・（式７）
ＲＹ＝−ａ×（ｂ×ΔＸ−ΔＹ）÷（ａ−ｂ）  ・・・（式８）
ＢＸ＝（ａ×ΔＸ−ΔＹ）÷（ａ−ｂ）  ・・・（式９）
ＢＹ＝ｂ×（ａ×ΔＸ−ΔＹ）÷（ａ−ｂ）  ・・・（式１０）
そして、式７と式８から以下の式１１が得られ、式９と式１０から以下の式１２が得られる。Ｓ５０４では、式１１，１２を用いて、色度調整量Ｒｍ，Ｂｍが算出される。式１１を用いて算出される色度調整量Ｒｍは、第１色度αを通り且つ傾きが第１傾きａである直線と第２色度βを通り且つ傾きが第２傾きｂである直線との交点から第１色度αまでの距離（第１距離）である。色度調整量Ｂｍは、上記交点から第２色度βまでの距離（第２距離）である。
Ｒｍ＝（ＲＸ２＋ＲＹ２）１／２
＝（（ｂ×ΔＸ−ΔＹ）÷（ａ−ｂ））×（１＋ａ２）１／２
・・・（式１１）
Ｂｍ＝（ＢＸ２＋ＢＹ２）１／２
＝（（ａ×ΔＸ−ΔＹ）÷（ａ−ｂ））×（１＋ｂ２）１／２
・・・（式１２）
【００３６】
次に、色度αから色度βへ色度を変化させるために必要な第１調整量Ｒｒと第２調整量Ｂｒが算出される（Ｓ５０５）。第１調整量Ｒｒは、色度αから色度βへ色度を変化させるために必要なＲ値の調整量であり、第２調整量Ｂｒは、色度αから色度βへ色度を変化させるために必要なＢ値の調整量である。換言すれば、第１調整量Ｒｒは、色度αから色度βへ色度を変化させるために必要なＲ素子の発光輝度の調整量であり、第２調整量Ｂｒは、色度αから色度βへ色度を変化させるために必要なＢ素子の発光輝度の調整量である。本実施例では、Ｓ５０４で算出された色度調整量Ｒｍを第１変化量ｎ１で除算した値が、第１調整量Ｒｒとして算出され、Ｓ５０４で算出された色度調整量Ｂｍを第２変化量ｎ２で除算した値が、第２調整量Ｂｒとして算出される。即ち、以下の式１３を用いて調整量Ｒｒが算出され、以下の式１４を用いて調整量Ｂｒが算出される。第１変化量ｎ１は、単位調整量だけＲ値を調整したときの、発光素子群から発せられた光の色度の変化量である。第２変化量ｎ２は、単位調整量だけＢ値を調整したときの、発光素子群から発せられた光の色度の変化量である。換言すれば、第１変化量ｎ１は、単位調整量だけＲ素子の発光輝度を調整したときの、発光素子群から発せられた光の色度の変化量である。第２変化量ｎ２は、単位調整量だけＢ素子の発光輝度を調整したときの、発光素子群から発せられた光の色度の変化量である。第１変化量ｎ１と第２変化量ｎ２は、例えば、発光素子群から発せられた光の色度の測定値を用いて算出することができる。具体的には、単位調整量だけＲ値を調整する前の測定値と、単位調整量だけＲ値を調整した後の測定値と、の差分を第１変化量ｎ１として算出することができる。同様に、単位調整量だけＢ値を調整する前の測定値と、単位調整量だけＢ値を調整した後の測定値と、の差分を第２変化量ｎ２として算出することができる。色度は、例えば、色度センサ等を用いて測定することができる。
Ｒｒ＝Ｒｍ÷ｎ１
＝（（ｂ×ΔＸ−ΔＹ）÷（ｎ１×（ａ−ｂ）））×（１＋ａ２）１／２
・・・（式１３）
Ｂｒ＝Ｂｍ÷ｎ２
＝（（ａ×ΔＸ−ΔＹ）÷（ｎ２×（ａ−ｂ）））×（１＋ｂ２）１／２
・・・（式１４）
【００３７】
そして、以下の式１５に示すように、Ｓ５０５において決定された第１調整量Ｒｒと第２調整量Ｂｒの比が、調整比率として決定される（Ｓ５０６）。
Ｒｒ：Ｂｒ
＝（（ｂ×ΔＸ−ΔＹ）÷（ｎ１×（ａ−ｂ）））×（１＋ａ２）１／２
：（（ａ×ΔＸ−ΔＹ）÷（ｎ２×（ａ−ｂ）））×（１＋ｂ２）１／２
＝（（ｂ×ΔＸ−ΔＹ）÷ｎ１）×（１＋ａ２）１／２
：（（ａ×ΔＸ−ΔＹ）÷ｎ２）×（１＋ｂ２）１／２
・・・（式１５）
【００３８】
次に、Ｓ５０６で決定された調整比率が維持されるように、調整パラメータの値、Ｒ値の調整量、及び、Ｂ値の調整量の関係を示す第１調整情報が生成される（Ｓ５０７）。具体的には、第１調整情報として、調整パラメータの値が大きいほど大きい調整量（Ｒ値の調整量とＢ値の調整量）を示す情報が生成される。ただし、第１調整情報では、調整パラメータの値に依らず、Ｒ値の調整量とＢ値の調整量の比率は調整比率と同じとされる。
【００３９】
そして、Ｓ５０７で生成された第１調整情報が記憶部１０７に記録される（Ｓ５０８）。
【００４０】
（色調整処理方法）
次に、本実施例に係る色調整処理の方法について説明する。
図６は、本実施例に係る色調整処理の一例を示すフローチャートである。
【００４１】
まず、ユーザが操作部１０２を操作することにより、図７に示すパラメータ調整画像が画面に表示される。図７に示すパラメータ調整画像は、操作領域に、調整パラメータの値を調整するためのバー画像（所定画像）を含む。そして、ユーザが操作部１０２を操作することによりバー画像を移動させるユーザ操作が行われる（Ｓ６０１）。
【００４２】
次に、制御部１０４が、Ｒ値とＢ値の調整量を決定する（Ｓ６０２）。具体的には、バー画像を動かすユーザ操作が行われると、制御部１０４が、バー画像の動かされた量に応じた調整パラメータの値を設定する。そして、制御部１０４は、記憶部１０７に記録されている第１調整情報から調整パラメータの設定値に対応するＲ値とＢ値の調整量を取得し、取得した調整量をＷＢ調整部１０６に出力する。
【００４３】
そして、ＷＢ調整部１０６が、デジタル信号処理部１０５から出力された画像データのＲ値とＢ値を、制御部１０４から出力された調整量だけ調整する（Ｓ６０３）。ＷＢ調整部１０６は、Ｒ値とＢ値が調整された画像データを表示部１０３に出力する。それにより、発光素子群の発光色が調整される。このようにして、発光素子群の発光色の経時変化に伴うずれを補償する（低減する）ことができる。
【００４４】
次に、制御部１０４は、色調整処理を終了するユーザ操作が行われたか否かを判断する（Ｓ６０４）。例えば、ユーザは、Ｒ値とＢ値が調整された画像（画面）を確認し、色調整処理を終了するユーザ操作、または、バーを動かすユーザ操作を行う。色調整処理を終了するユーザ操作が行われた場合には、本フローが終了され、バーを動かすユーザ操作が行われた場合には、Ｓ６０２に処理が戻される。
【００４５】
以上述べたように、本実施例によれば、調整比率が維持されるように、２つの調整素子のサブピクセル値が互いに連動して調整され、２つの調整素子の発光輝度が互いに連動して調整される。それにより、発光素子群の発光色を容易に所望の色に調整することができる。具体的には、調整後の発光輝度の候補値の数を減らすことができ、発光素子群の発光色を、少ない処理時間や処理負荷で所望の値に調整することができる。本実施例では、ユーザが１つ（１種類）のパラメータの値を調整すればよいため、発光素子群の発光色を容易に所望の色に調整することができる。
【００４６】
なお、本実施例では、ユーザ操作に応じて色調整処理が開始され、ユーザ操作に応じて調整パラメータの値が設定される例を説明したが、これに限らない。例えば、定期的に色調整処理が自動で行われてもよい。そして、色度センサ等を用いて発光素子群の発光色が検出され、発光色の検出値が目標値と一致するように、第１発光素子と第２発光素子の発光輝度が互いに連動して調整されてもよい。目標値は、メーカ等によって予め定められた固定値であってもよいし、ユーザが変更可能な値であってもよい。
【００４７】
なお、本実施例では、表示装置が撮像部を有し、表示装置内で画像データが生成される例を説明したが、外部装置から画像データが取得されてもよい。
【００４８】
＜実施例２＞
以下、本発明の実施例２について説明する。
（構成）
まず、本実施例に係る表示装置の構成について説明する。
図８は、本実施例に係る表示装置の構成の一例を示すブロック図である。図８に示すように、本実施例に係る表示装置は、実施例１（図１）の構成に、タイマー８０１、累積表示時間計測部８０２、推定部８０３を追加した構成を有する。
なお、図８において実施例１（図１）と同じ機能部には同じ符号を付し、その説明は省略する。
【００４９】
タイマー８０１は、表示装置（表示部１０３）で表示が行われるたびに、表示が開始されてから現時刻までの時間（第１表示時間）を計測し、制御部１０４に計測した第１表示時間を出力する。
【００５０】
累積表示時間計測部８０２は、表示装置の累積表示時間（発光装置の累積駆動時間）を計測し、累積表示時間の計測時間を記憶部１０７に記録する。具体的には、累積表示時間計測部８０２は、累積表示時間の前回の計測時間を記憶部１０７から読み出し、タイマー８０１の今回の計測時間（第１表示時間）を制御部１０４から取得する。そして、累積表示時間計測部８０２は、タイマー８０１の今回の計測時間（第１表示時間）を、発光素子群から発せられた光の実総量と同じ量の光を発光素子群を基準の駆動信号で発光させて得るために要する時間（第１表示時間）に換算する。言い換えると、累積表示時間計測部８０２は、第１表示時間中に、ある駆動信号で発光素子群を発光させた光の累積量と同じ量の光を、基準の駆動信号で発光素子群を発光させて得るために要する第２表示時間に換算する。その後、累積表示時間計測部８０２は、換算した時間（第２表示時間）を、前回の累積表示時間に加算する。それにより、新たな累積表示時間として、第１表示時間中に発光素子群から発せられた光の実総量と同じ量の光を、発光素子群を基準の駆動信号で発光させて得るために要する時間が算出される。基準の駆動信号は、例えば、図２の色度を測定するときに使用された駆動信号である。発光素子の駆動信号は、例えば、表示部１０３のガンマ値によって変更される。ユーザは、操作部１０２を操作することにより、ガンマ値の設定値を変更することができる。
【００５１】
なお、発光素子群の駆動信号はガンマ値だけでなく画像データにも依存するが、本実施例では、処理を簡単化するために、ガンマ値の変化による駆動信号の変化のみを考慮して時間の換算を行い、累積表示時間を計測する。勿論、画像データの変化とガンマ値の変化の両方を考慮して時間の換算が行われてもよく、そのような換算を行えば、時間の換算をより高精度に行うことができ、累積表示時間をより高精度に計測することができる。
なお、色調整処理では第１調整情報の生成時に表示された所定の画像データが表示されてもよい。そのような構成とすれば、ガンマ値の変化による駆動信号の変化のみを考慮しても、画像データの変化とガンマ値の変化の両方を考慮したときと同精度で時間の換算を行うことができる。
【００５２】
記憶部１０７には、実施例１で述べた第１調整情報の他に、第２調整情報が予め記録されている。第２調整情報は、表示装置の累積表示時間と設定すべき調整パラメータの推定値（調整パラメータ推定値）との対応関係を表す情報（テーブルや関数）である。第２調整情報は、例えば、図９に示す関数を示す情報である。図９において、横軸は累積表示時間を示し、縦軸は設定すべき調整パラメータの推定値を示す。図９に示す関数は、例えば
、図５のＳ５０１〜Ｓ５０５の処理を行うことにより得ることができる。具体的には、Ｓ５０２において、第１色度αとして駆動時間が２０００ｈのときの色度が選択され、第２色度βとして駆動時間が０ｈのときの色度が選択される。そして、Ｓ５０５において、第１色度αから第２色度βへ色度を変化させるために必要な第１調整量Ｒｒと第２調整量Ｂｒが算出される。その後、第１調整情報から、算出された第１調整量Ｒｒと第２調整量Ｂｒに対応する調整パラメータの値が、累積表示時間２０００ｈに対応する推定値（調整パラメータ推定値）として設定される。また、累積表示時間０ｈに対応する推定値（調整パラメータ推定値）として０が設定される。そして、図９に示す関数として、上記２つの推定値を通る１次関数（累積表示時間と推定値を変数とする関数）が算出される。なお、単位駆動時間毎に駆動時間が０ｈのときの色度βへ色度を調整するための調整量Ｒｒ，Ｂｒが算出され、単位駆動時間毎に、算出された調整量Ｒｒ，Ｂｒから調整パラメータの値が算出されてもよい。そして、単位駆動時間毎の調整パラメータの値が、単位累積表示時間毎の推定値（調整パラメータ推定値）として設定されてもよい。その後、最小二乗法を用いて、単位累積表示時間毎の推定値（調整パラメータ推定値）からの偏差が最小となる１次関数が算出されてもよい。
【００５３】
推定部８０３は、記憶部１０７に記録されている第２調整情報から、累積表示時間計測部８０２の計測時間（表示累積時間の計測時間）に対応する推定値（調整パラメータ推定値）を取得する。そして、推定部８０３は、取得した推定値（調整パラメータ推定値）をＯＳＤ生成部１０８に出力する。
【００５４】
ＯＳＤ生成部１０８は、実施例１と同様の機能を有する。また、ＯＳＤ生成部１０８は、設定すべき調整パラメータの推定値（調整パラメータ推定値）をユーザに通知する。具体的には、ＯＳＤ生成部１０８は、推定部８０３から出力された推定値をユーザに通知する。本実施例では、図１１に示すように、推定部８０３から出力された推定値を含む調整パラメータの値の範囲（推定範囲）を示す補助画像が、パラメータ調整画像に合成されて表示される。推定範囲は、例えば、推定部８０３から出力された推定値を中心とする所定幅の範囲である。補助画像は、調整パラメータの推定範囲を示す矩形画像と、「補正予測範囲」などのテキストを含む。
なお、推定値を通知する処理は、ＯＳＤ生成部１０８とは異なる機能部によって行われてもよい。例えば、表示装置は、推定値を通知する通知部を有していてもよい。
また、推定範囲ではなく、推定値のみがユーザに通知されてもよい。
また、推定値の通知方法は図１１に示す方法に限らない。例えば、補助画像として、バーの一部を塗りつぶすような画像のみが表示されてもよいし、「補正予測範囲」や「調整予測範囲」などのテキスト画像のみが表示されてもよい。また、音声によって推定値が通知されてもよい。
【００５５】
（色調整処理方法）
次に、本実施例に係る色調整処理の方法について説明する。
図１０は、本実施例に係る色調整処理の一例を示すフローチャートである。
以下では、表示装置が、第１ガンマ値を使用して標準輝度の表示を行う標準輝度モード（標準輝度表示モード）と、第２ガンマ値を使用して高輝度の表示を行う高輝度モード（高輝度表示モード）と、の２つの表示モードを有する例を説明する。
【００５６】
まず、制御部１０４が、表示モードを変更するユーザ操作が行われたか否かを判断する。表示モードを変更するユーザ操作が行われた場合にはＳ１００２へ処理が進められ、表示モードを変更するユーザ操作が行われていない場合にはＳ１００３へ処理が進められる。
【００５７】
Ｓ１００２では、制御部１０４が、変更後の表示モードを判断する。高輝度モードから
通常輝度モードへ表示モードが変更された場合にはＳ１００４へ処理が進められ、通常輝度モードから高輝度モードへ表示モードが変更された場合にはＳ１００５へ処理が進められる。
【００５８】
Ｓ１００３では、タイマー８０１が現在の表示モードでの表示時間を計測し、タイマー８０１から制御部１０４を介して累積表示時間計測部８０２に、タイマー８０１の計測時間が送られる。その後、Ｓ１００６に処理が進められる。
Ｓ１００４では、制御部１０４が、タイマー８０１の計測時間（高輝度モードでの計測時間）をリセットする。それにより、タイマー８０１では、高輝度モードでの計測時間がリセットされてから現在までの表示時間（通常輝度モードでの表示時間）が計測される。そして、タイマー８０１から制御部１０４を介して累積表示時間計測部８０２に、タイマー８０１の計測時間（通常輝度モードでの計測時間）が送られる。その後、Ｓ１００６に処理が進められる。
Ｓ１００５では、制御部１０４が、タイマー８０１の計測時間（通常輝度モードでの計測時間）をリセットする。それにより、タイマー８０１では、通常輝度モードでの計測時間がリセットされてから現在までの表示時間（高輝度モードでの表示時間）が計測される。そして、タイマー８０１から制御部１０４を介して累積表示時間計測部８０２に、タイマー８０１の計測時間（高輝度モードでの計測時間）が送られる。その後、Ｓ１００６に処理が進められる。
【００５９】
Ｓ１００６では、累積表示時間計測部８０２が累積表示時間を計測（算出）する。具体的には、累積表示時間計測部８０２は、タイマー８０１の計測時間（第１表示時間）と、タイマー８０１による計測時に設定されていた表示モードを示すモード情報と、を制御部１０４から取得する。また、累積表示時間計測部８０２は、記憶部１０７から前回の累積表示時間を取得する。そして、累積表示時間計測部８０２は、モード情報を用いて、タイマー８０１の計測時間（第１表示時間）を基準の駆動信号に対応する第２表示時間に換算する。そして、累積表示時間計測部８０２は、換算後の計測時間（第２表示時間）を前回の累積表示時間に加算することにより、新たな累積表示時間を算出する。
【００６０】
本実施例では、通常輝度モードにおける発光素子群の発光輝度（表示輝度）：高輝度モードにおける発光輝度が１：２であるものとする。そして、発光素子群の劣化速度が発光輝度の２乗に比例するものとする。そのため、通常輝度モードにおける発光素子群の劣化速度：高輝度モードにおける劣化速度は１：４となる。ここで、通常輝度モードにおける駆動信号が基準の駆動信号である場合には、以下の式１６が成り立つ。Ｓ１００６では、式１６を用いて計測時間の換算が行われる。式１６において、Ｔｓは換算後の計測時間（第２表示時間）であり、Ｔｍは標準輝度モードでの計測時間（第１表示時間）であり、Ｔｈは高輝度モードでの計測時間（第１表示時間）である。
Ｔｓ＝Ｔｍ＋４×Ｔｈ  ・・・（式１６）
【００６１】
次に、制御部１０４が、パラメータ調整画像を表示するユーザ操作が行われたか否かを判断する（Ｓ１００７）。パラメータ調整画像を表示するユーザ操作が行われた場合にはＳ１００８に処理が進められ、パラメータ調整画像を表示するユーザ操作が行われていない場合にはＳ１０１４に処理が進められる。
【００６２】
Ｓ１００８では、推定部８０３が、調整パラメータの推定値を決定する。具体的には、推定部８０３は、Ｓ１００６で算出された累積表示時間の計測時間を累積表示時間計測部８０２から取得し、第２調整情報を記憶部１０７から取得する。推定部８０３は、第２調整情報から、Ｓ１００６で算出された累積表示時間の計測時間に対応する推定値を取得す
る。そして、推定部８０３は、取得した推定値をＯＳＤ生成部１０８に出力する。
【００６３】
次に、ＯＳＤ生成部１０８が、推定部８０３から出力された推定値を示すパラメータ調整画像を画面に表示させる（Ｓ１００９）。具体的には、図１１に示すようなパラメータ調整画像が表示される。
【００６４】
そして、実施例１で説明した図６のＳ６０１の処理と同様に、ユーザが操作部１０２を操作することによりバー画像を動かすユーザ操作が行われる（Ｓ１０１０）。ここでは、設定すべき調整パラメータの推定値の範囲がパラメータ調整画像（図７参照）に示されているため、ユーザは、実施例１よりも容易に調整パラメータの値を調整することができる。具体的には、ユーザは、発光素子群の発光色が所望の色となるように、調整パラメータの値を容易に調整することができる。
【００６５】
Ｓ１０１１〜Ｓ１０１３の処理は、実施例１で説明した図６のＳ６０２〜Ｓ６０４の処理と同様であるため、それらの説明は省略する。
【００６６】
Ｓ１０１４では、制御部１０４が、表示装置の電源をＯＦＦにするユーザ操作が行われたか否かを判断する。電源をＯＦＦにするユーザ操作が行われていない場合にはＳ１００１に処理が戻され、電源をＯＦＦにするユーザ操作が行われた場合にはＳ１０１５に処理が戻される。
【００６７】
Ｓ１０１５では、累積表示時間計測部８０２が、Ｓ１００６で算出された累積表示時間の計測時間を記憶部１０７に記録する。そして、本フローが終了される。
【００６８】
以上述べたように、本実施例によれば、設定すべき調整パラメータの推定値が累積表示時間に基づいて推定され、推定値がユーザに通知される。それにより、発光素子群の発光色を実施例１よりも容易に所望の色に調整することができる。
【００６９】
なお、本実施例では、設定可能な表示モード（ガンマ値）が２つである場合の例を説明したが、設定可能な表示モードの数は２つより多くてもよい。
【００７０】
なお、本実施例では、タイマー８０１の計測時間の換算を行う例を説明したが、発光素子群の劣化の仕方が発光素子群の駆動信号に依存しない場合には、そのような換算は行われなくてもよい。
【００７１】
なお、本実施例では、実施例１と同様に、ユーザ操作に応じて調整パラメータの値が設定される例を説明したが、これに限らない。例えば、第１調整情報と第２調整情報の代わりに第３調整情報が記憶部１０７に予め記録されていてもよい。第３調整情報は、表示装置の累積表示時間と２つの調整素子の発光輝度（サブピクセル値）の調整量との対応関係を表す情報（関数やテーブル）である。そして、ＷＢ調整部１０６は、第３調整情報において累積表示時間の計測時間に対応する調整量で、２つの調整素子の発光輝度を（自動で）調整してもよい。それにより、調整パラメータの値を調整するユーザ操作が不要となるため、発光素子群の発光色をより容易に調整することができる。
【００７２】
また、図１２に示すように、パラメータ調整画像にオートボタンが含まれていてもよい。そして、オートボタンが操作された場合に、調整パラメータの値として、推定部８０３より決定された推定値が設定されてもよい。そのような処理は、例えば、オートボタンが操作された場合に以下の処理が行われることにより実現される。まず、推定部８０３が推定値を制御部１０４に出力する。次に、制御部１０４が、第１調整情報から推定値に対応する調整量を取得し、ＷＢ調整部１０６に出力する。そして、ＷＢ調整部１０６が、制御
部１０４から出力された調整量で画像データの値を調整する。
調整パラメータの値として、推定部８０３より決定された推定値が設定された後、ユーザが調整パラメータの値をさらに調整（微調整）可能であってもよい。
【００７３】
＜実施例３＞
次に、本発明の実施例３について説明する。
実施例１，２では、図２に示すように、発光素子群の発光色が線形に経時変化する例を説明した。本実施例では、図１３に示すように、発光素子群の発光色が非線形に経時変化する場合であっても発光素子群の発光色を容易且つ高精度に調整することのできる構成を説明する。
【００７４】
（構成）
本実施例に係る表示装置の大まかな構成は実施例２と同じである。
但し、本実施例では、記憶部１０７には、調整比率として、表示装置の累積表示時間の複数の範囲に対応する複数の比率（調整比率）が予め記録されている。具体的には、２５０ｈ幅の累積時間の範囲毎に第１調整情報と第２調整情報が予め生成され、累積時間の範囲毎の第１調整情報と第２調整情報が記憶部１０７に予め記録されている。本実施例では、図１３に矢印で示された８つのパターン１〜８に対応する８つの第１調整情報が予め記録されており、図１３に矢印で示された８つのパターン１〜８に対応する８つの第２調整情報が予め記録されている。パターンは、発光素子群から発せられた光の色度の経時変化を示す１次関数である。第１調整情報と第２調整情報は、実施例１，２で述べた方法と同様の方法で生成される。本実施例では、累積表示時間がＴ１以上Ｔ２未満のパターンについて、累積表示時間がＴ１以上Ｔ２未満のときの発光素子群の発光色の経時変化を補償（低減）する第１調整情報が生成されている。また、調整パラメータの候補値（推定値）として、パターンに対応する累積表示時間の上限値のときの発光色から下限値のときの発光色に発光素子群の発光色を調整するための値を示す第２調整情報が生成されている。例えば、パターン３の第２調整情報では、調整パラメータの推定値として、累積表示時間が７５０ｈのときの発光色から５００ｈのときの発光色に発光素子群の発光色を調整するための値が示されている。
【００７５】
（色調整処理方法）
次に、本実施例に係る色調整処理の方法について説明する。
図１４は、本実施例に係る色調整処理の一例を示すフローチャートである。
【００７６】
Ｓ１４０１〜Ｓ１４０７の処理は、実施例２で説明した図１０のＳ１００１〜Ｓ１００７の処理と同様であるため、それらの説明は省略する。Ｓ１４０７においてパラメータ調整画像を表示するユーザ操作が行われたと判断された場合には、Ｓ１４０８に処理が進められる。また、Ｓ１４０７においてパラメータ調整画像を表示するユーザ操作が行われていないと判断された場合には、Ｓ１４２３に処理が進められる。
Ｓ１４２３とＳ１４２４の処理は、実施例２で説明した図１０のＳ１０１４とＳ１０１５の処理と同様であるため、それらの説明は省略する。
【００７７】
Ｓ１４０８では、制御部１０４が、Ｓ１４０６で算出された累積表示時間の計測時間が、パターン１〜８のどのパターンに対応するかを判断する。
パターン１は、０ｈ以上２５０ｈ未満の累積表示時間に対応し、パターン２は、２５０ｈ以上５００ｈ未満の累積表示時間に対応する。パターン３は、５００ｈ以上７５０ｈ未満の累積表示時間に対応し、パターン４は、７５０ｈ以上１０００ｈ未満の累積表示時間に対応する。パターン５は、１０００ｈ以上１２５０ｈ未満の累積表示時間に対応し、パターン６は、１２５０ｈ以上１５００ｈ未満の累積表示時間に対応する。パターン７は、１５００ｈ以上１７５０ｈ未満の累積表示時間に対応し、パターン８は、１７５０ｈ以上
２０００ｈ未満の累積表示時間に対応する。
Ｓ１４０６で算出された累積表示時間の計測時間が０ｈ以上２５０ｈ未満である場合には、Ｓ１４０９に処理が進められる。
Ｓ１４０６で算出された累積表示時間の計測時間が２５０ｈ以上５００ｈ未満である場合には、Ｓ１４１０に処理が進められる。
Ｓ１４０６で算出された累積表示時間の計測時間が５００ｈ以上７５０ｈ未満である場合には、Ｓ１４１１に処理が進められる。
Ｓ１４０６で算出された累積表示時間の計測時間が７５０ｈ以上１０００ｈ未満である場合には、Ｓ１４１２に処理が進められる。
Ｓ１４０６で算出された累積表示時間の計測時間が１０００ｈ以上１２５０ｈ未満である場合には、Ｓ１４１３に処理が進められる。
Ｓ１４０６で算出された累積表示時間の計測時間が１２５０ｈ以上１５００ｈ未満である場合には、Ｓ１４１４に処理が進められる。
Ｓ１４０６で算出された累積表示時間の計測時間が１５００ｈ以上１７５０ｈ未満である場合には、Ｓ１４１５に処理が進められる。
Ｓ１４０６で算出された累積表示時間の計測時間が１７５０ｈ以上２０００ｈ未満である場合には、Ｓ１４１６に処理が進められる。
なお、パターン８が１７５０ｈ以上の累積表示時間（上限なし）に対応する色度変化であり、Ｓ１４０６で算出された累積表示時間の計測時間が１７５０ｈ以上である場合にＳ１４１６に処理が進められてもよい。
【００７８】
Ｓ１４０９では、推定部８０３が、パターン１に対応する第１調整情報と第２調整情報を記憶部１０７から取得する（読み出す）。
Ｓ１４１０では、推定部８０３が、パターン１に対応する第１調整情報と第２調整情報と、パターン２に対応する第１調整情報と第２調整情報と、を記憶部１０７から取得する。
Ｓ１４１１では、推定部８０３が、パターン１〜３の第１調整情報と第２調整情報を記憶部１０７から取得する。
Ｓ１４１２では、推定部８０３が、パターン１〜４の第１調整情報と第２調整情報を記憶部１０７から取得する。
Ｓ１４１３では、推定部８０３が、パターン１〜５の第１調整情報と第２調整情報を記憶部１０７から取得する。
Ｓ１４１４では、推定部８０３が、パターン１〜６の第１調整情報と第２調整情報を記憶部１０７から取得する。
Ｓ１４１５では、推定部８０３が、パターン１〜７の第１調整情報と第２調整情報を記憶部１０７から取得する。
Ｓ１４１６では、推定部８０３が、パターン１〜８の第１調整情報と第２調整情報を記憶部１０７から取得する。
【００７９】
Ｓ１４１７〜Ｓ１４２２の処理は、実施例２で説明した図１０のＳ１００８〜Ｓ１０１３の処理と同様であるため、それらの説明は省略する。但し、Ｓ１４１７では、Ｓ１４０９〜Ｓ１４１６の処理のいずれかの処理で取得された第２調整情報が使用され、Ｓ１４２０では、Ｓ１４０９〜Ｓ１４１６の処理のいずれかの処理で取得された第１調整情報が使用される。
【００８０】
例えば、図１３に示すように、累積表示時刻が２５０ｈ未満のときの色度１３０１を累積表示時刻が２５０ｈ未満のときの色度１３０２に調整する場合には、パターン１の第１調整情報で示された調整量で調整素子の発光輝度が調整される。
累積表示時刻が２５０ｈ以上５００ｈ未満のときの色度１３０３を色度１３０２に調整する場合には、パターン２の第１調整情報を用いて、色度１３０３を累積表示時刻が２５
０ｈのときの色度１３０４に調整する調整量Ａ１が決定される。そして、パターン１の第１調整情報を用いて、色度１３０４を色度１３０２に調整する調整量Ａ２が決定される。その後、調整量Ａ１と調整量Ａ２を加算した調整量Ａ３で調整素子の発光輝度が調整される。
このように、調整素子の発光輝度は、調整前の色度に対応するパターンの第１調整情報から調整後の色度に対応するパターンの第１調整情報までを用いて調整される。その結果、図１３に示す色度の経時変化を補償（低減）することができる。つまり、パターン１〜８の第１調整情報を適応的に用いることで、発光素子群の発光色の経時変化に伴うズレを補償（低減）することができる。
【００８１】
また、累積表示時刻の計測値（累積表示時間）が２５０ｈ未満である場合には、パターン１の第２調整情報で示された推定値（調整パラメータ推定値）がユーザに通知される。
累積表示時刻の計測値（累積表示時間）が２５０ｈ以上５００ｈ未満である場合には、パターン２の第２調整情報を用いて、現在の発光色から累積表示時間が２５０ｈのときの発光色に発光素子群の発光色を制御するための推定値（調整パラメータ推定値）Ｂ１が決定される。そして、パターン１の第２調整情報を用いて、累積表示時間が２５０ｈのときの発光色から累積表示時間が０ｈのときの発光色に発光素子群の発光色を制御するための推定値（調整パラメータ推定値）Ｂ２が決定される。その後、推定値Ｂ１と推定値Ｂ２から、現在の発光色から累積表示時間が０ｈのときの発光色に発光素子群の発光色を制御するための推定値（調整パラメータ推定値）Ｂ３が決定され、ユーザに通知される。
このように、ユーザに通知する推定値（調整パラメータ推定値）は、０ｈ以上２５０ｈ未満の累積表示時間に対応する第２調整情報から累積表示時間の計測値（現在の累積表示時間）に対応する第２調整情報までを用いて決定される。
なお、複数の第２調整情報が取得された場合には、複数の推定値がユーザに通知されてもよい。例えば、上述した推定値Ｂ２と推定値Ｂ３がユーザに通知されてもよい。
【００８２】
以上述べたように、本実施例によれば、記憶部１０７に、調整比率として、表示装置の累積表示時間の複数の範囲に対応する複数の比率が予め記録されている。そして、表示装置の累積表示時間に対応する調整比率が維持されるように、２つの調整素子の発光輝度が調整される。それにより、発光素子群の発光色が複雑に経時変化する場合であっても発光素子群の発光色を容易且つ高精度に調整することができる。
【００８３】
なお、累積表示時間の複数の範囲に対応する複数の第３調整情報が予め用意されていてもよい。そして、累積表示時間の計測時間に対応する第３調整情報を用いて、発光素子の発光色が自動で調整されてもよい。
【００８４】
なお、第２調整情報や第３調整情報では、調整パラメータの値として、累積表示時間が０ｈのときの発光色に発光色を制御するための値が示されていてもよい。その場合には、第２調整情報や第３調整情報として、累積表示時間の計測値に対応する情報のみが取得されてもよい。
【００８５】
なお、実施例３では２５０ｈ幅の時間範囲毎に調整比率（具体的には第１調整情報と第２調整情報）が用意されている例を説明したが、調整比率に対応する時間範囲の幅は２５０ｈに限らない。但し、調整比率に対応する時間範囲の幅を大きくすると、パターン（１次関数）によって示される色度が実際の色度から大きくずれてしまうことがある。パターンによって示される色度と実際の色度とのずれ量（誤差）がＬ＊ａ＊ｂ空間におけるＡ級許容差の範囲内の値であれば、そのようなずれ量は問題とならない。そのため、調整比率に対応する時間範囲は、パターンによって示される色度と実際の色度とのずれ量がＬ＊ａ＊ｂ空間におけるＡ級許容差の範囲内の値となるように定められることが好ましい。
また、図１５に示すように、パターンによって示されるＸ値とＹ値の実際の値からのず
れ量が−０．００５以上＋０．００５以下の範囲は、Ｌ＊ａ＊ｂ空間におけるＡ級許容差の範囲と同等である。そのため、調整比率に対応する時間範囲は、パターンによって示されるＸ値とＹ値の実際の値からのずれ量が−０．００５以上＋０．００５以下となるように定められてもよい。
【００８６】
なお、本発明をその好適な実施例に基づいて詳述してきたが、本発明はこれら特定の実施例に限られるものではなく、この発明の要旨を逸脱しない範囲の様々な形態も本発明に含まれる。例えば、上述の実施例の一部を他の実施例に適宜組み合わせてもよい。
また、実施例１〜３は調整素子のサブピクセル値をオフセット調整する例を説明したが、これに限らない。コントラストを調整する技術を用いて調整素子のサブピクセル値が調整されてもよいし、ガンマ値を調整することにより調整素子のサブピクセル値が調整されてもよい。
【００８７】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００８８】
１０３  表示部
１０６  ＷＢ調整部
１０７  記憶部
【図１】
2015118368.tif 000003
【図２】
2015118368.tif 000004
【図３】
2015118368.tif 000005
【図４】
2015118368.tif 000006
【図５】
2015118368.tif 000007
【図６】
2015118368.tif 000008
【図７】
2015118368.tif 000009
【図８】
2015118368.tif 000010
【図９】
2015118368.tif 000011
【図１０】
2015118368.tif 000012
【図１１】
2015118368.tif 000013
【図１２】
2015118368.tif 000014
【図１３】
2015118368.tif 000015
【図１４】
2015118368.tif 000016
【図１５】
2015118368.tif 000017
【図１６】
2015118368.tif 000018
【図１７】
2015118368.tif 000019